(57)【要約】      （修正有）【課題】簡便性を向上し、高コントラスト表示を実現する表示装置を提供する。【解決手段】表示装置１は、印刷用画像情報１００に基づいて印刷画像１７０として印刷する印刷部（印刷ヘッド１４１）と、印刷ヘッド１４１により印刷画像１７０が印刷される表示対象物としての連続ロール紙５０と、連続ロール紙５０の移動を行なう移動機構部３０と、印刷画像１７０が印刷された連続ロール紙５０に対して所定の表示領域を確保して表示領域内に印刷画像１７０が印刷された連続ロール紙５０を保持する保持機構部と、投写用画像情報２００に基づいた投写画像２７０を投写する投写部（投写レンズ２６３）と、を一体に有し、投写レンズ２６３は、表示領域内に位置する、印刷画像１７０または連続ロール紙５０に対して重ねて投写画像２７０を投写する。【選択図】図２
2008122558.tif 000002
【特許請求の範囲】
【請求項１】
印刷用画像情報に基づいて印刷画像として印刷する印刷部と、
前記印刷部により前記印刷画像が印刷される表示対象物と、
前記表示対象物の移動を行なう移動機構部と、
前記印刷画像が印刷された前記表示対象物に対して、所定の表示領域を確保して、当該表示領域内に前記印刷画像が印刷された前記表示対象物を保持する保持機構部と、
投写用画像情報に基づいた投写画像を投写する投写部と、を一体に有し、
前記投写部は、前記表示領域内に位置する、前記印刷画像または前記表示対象物に対して重ねて前記投写画像を投写することを特徴とする表示装置。
【請求項２】
請求項１に記載の表示装置であって、
前記印刷用画像情報と前記投写用画像情報は、基本画像情報に基づく少なくとも一部を複写する情報、および／または前記基本画像情報に基づく少なくとも一部を変換する情報であることを特徴とする表示装置。
【請求項３】
請求項１または請求項２に記載の表示装置であって、
前記投写画像を前記表示領域内において拡大または縮小するズーム機構部を有することを特徴とする表示装置。
【請求項４】
請求項３に記載の表示装置であって、
前記ズーム機構部により拡大または縮小された前記投写画像を、前記表示領域内において移動させるシフト機構部を有することを特徴とする表示装置。
【請求項５】
請求項１〜請求項４のいずれか一項に記載の表示装置であって、
前記印刷画像は前記表示領域内に固定され、前記投写画像の画像内容も固定することを特徴とする表示装置。
【請求項６】
請求項１〜請求項４のいずれか一項に記載の表示装置であって、
前記印刷画像は前記表示領域内に固定され、前記投写画像の画像内容は変化することを特徴とする表示装置。
【請求項７】
請求項１〜請求項４のいずれか一項に記載の表示装置であって、
前記印刷画像は前記移動機構部により移動し、前記投写画像の画像内容は固定することを特徴とする表示装置。
【請求項８】
請求項１〜請求項４のいずれか一項に記載の表示装置であって、
前記印刷画像は前記移動機構部により移動し、前記投写画像は前記印刷画像の移動に合わせて前記投写画像の画像内容が変化することを特徴とする表示装置。
【請求項９】
請求項１〜請求項８のいずれか一項に記載の表示装置であって、
前記投写画像を投写するのにプロジェクタを用いることを特徴とする表示装置。
【発明の詳細な説明】
【技術分野】
【０００１】
本発明は、表示装置に関するものである。
【背景技術】
【０００２】
近年、ＬＣＤ（Liquid Crystal Display）、ＥＬ（Electro-luminescence）ディスプレイ、プラズマディスプレイ、投写型表示装置等の電子ディスプレイ装置における画質改善は目覚しく、解像度、色域については人間の視覚特性にほぼ匹敵する性能を有する装置が実現されつつある。しかし、輝度ダイナミックレンジについてみると、その再現範囲は暗室環境下においてはコントラスト比で数千：１程度の範囲にとどまり、特に明室環境下においては数百：１程度である。一方、インクジェットプリンタなどで印刷された印刷物は、反射表示のため暗室と明室でのコントラスト比は変化しないが、やはり数百：１程度である。
【０００３】
一方、人間の視覚は、一度に知覚し得る輝度ダイナミックレンジの範囲はコントラストで数千〜数万であり、また輝度弁別能力（コントラスト分解能：輝度の濃淡を弁別できる能力）は０．２［ｎｉｔ］（輝度：光を発する光源の単位面積あたりの光度を表し、光源に関する量。単位はｎｉｔ（ニット）＝ｃｄ／ｍ2）と言われておりこれを階調数に換算すると１２ｂｉｔ相当といわれている。
【０００４】
このような視覚特性を前提として現在の電子ディスプレイ装置の表示画像を見た場合、輝度ダイナミックレンジの狭さが目立ち、加えてシャドウ部やハイライト部の階調が不足しているため表示画像のリアリティーや迫力に対して物足りなさを感じることになる。
【０００５】
これに対して、電子ディスプレイ装置の性能を維持しつつ、描画のリアリティーを追求する技術が種々開示されている。例えば透視画を照明する可視光を変調することにより、ライトボックスを用いる透視画の表示を強める技術が提案されている（特許文献１）。また、物体の像をその物体に投影することにより、その物体の明部と暗部のコントラストを向上させる方法およびその装置が提案されている（特許文献２）。
【０００６】
また、ディスプレイ装置としての屋外広告装置として、側面に開口部を形成された箱体と、箱体内に設置されると共に開口部へ投影可能に設置された投影機および投影機に装着される広告内容を撮影したポジティブ写真フィルムとにより構成され、ポジティブ写真フィルムに光源から投光され、ポジティブ写真フィルムの画像がスクリーンに投影されるものが提案されている（特許文献３）。
【０００７】
【特許文献１】特開平３−２２６７１２号公報
【特許文献２】特表２００１−５２２５４４号公報
【特許文献３】特開２００４−３３３５５１号公報
【発明の開示】
【発明が解決しようとする課題】
【０００８】
上記、特許文献１、特許文献２においては、カメラにより画像面に表示する画像情報を取得することなどが必要であり、高コントラストの表示を実現するためには、構成が複雑であった。すなわち、高コントラストの表示を実現するための表示装置としては、簡便性の面から課題があった。
【０００９】
また、特許文献３において、スクリーンに投影される画像は、ポジティブ写真フィルム自体の濃淡により決まる表示画質（コントラスト）となり、投影される画像のコントラスト向上には至っていなかった。
【００１０】
本発明は、上述した課題に鑑みてなされたものであり、その目的は、簡便性を向上し、高コントラスト表示を実現する表示装置を提供することである。
【課題を解決するための手段】
【００１１】
上述した目的を達成するために、本発明の表示装置は、印刷用画像情報に基づいて印刷画像として印刷する印刷部と、印刷部により印刷画像が印刷される表示対象物と、表示対象物の移動を行なう移動機構部と、印刷画像が印刷された表示対象物に対して所定の表示領域を確保して表示領域内に印刷画像が印刷された表示対象物を保持する保持機構部と、投写用画像情報に基づいた投写画像を投写する投写部と、を一体に有し、投写部は、表示領域内に位置する、印刷画像または表示対象物に対して重ねて投写画像を投写することを特徴とする。
【００１２】
このように、表示装置は、印刷部、表示対象物、移動機構部、保持機構部および投写部を一体に有している。そして、印刷部で印刷用画像情報に基づいて印刷画像として印刷し、表示対象物に印刷画像が印刷され、移動機構部で表示対象物を移動し、保持機構部で所定の表示領域を確保して表示領域内に印刷画像が印刷された表示対象物を保持し、投写部で投写用画像情報に基づいた投写画像を投写する。そして、投写部は、表示領域内に位置する、印刷画像または表示対象物に対して重ねて投写画像を投写する。
このような一体に構成された表示装置により、ユーザが、印刷画像を別体の印刷部で印刷し、その印刷画像を設置し、設置した印刷画像に対して投写画像の位置合わせを行い投写させることなどは不必要となり、簡便性が向上する。また、表示領域内に位置している印刷画像または表示対象物に対して重ねて投写画像を投写することにより、合成された画像のコントラスト比は、印刷画像のコントラスト比と投写画像のコントラスト比との掛け算として計算され、高コントラストな表示を実現できる。従って、簡便性を向上し、高コントラスト表示を実現する表示装置を提供することができる。
【００１３】
また、上述した表示装置において、印刷用画像情報と投写用画像情報は、基本画像情報に基づく少なくとも一部を複写する情報、および／または基本画像情報に基づく少なくとも一部を変換する情報であることが好ましい。
【００１４】
このような表示装置によれば、印刷用画像情報と投写用画像情報が基本画像情報に基づく少なくとも一部を複写する情報である場合には、その複写した情報による印刷画像および投写画像の一部において高コントラストな表示を行なうことができる。また、基本画像情報に基づく少なくとも一部を変換する情報である場合には、その変換した情報による印刷画像および投写画像の一部において変換の意図する表示を行なうことができる。
【００１５】
また、上述した表示装置において、投写画像を表示領域内において拡大または縮小するズーム機構部を有することが好ましい。
【００１６】
このような表示装置によれば、ズーム機構部を有して、投写画像を表示領域内において拡大または縮小することにより、表示領域と略一致して投写するのに比べて、投写画像の緻密さを向上させることができる。
【００１７】
また、上述した表示装置において、ズーム機構部により拡大または縮小された投写画像を、表示領域内において移動させるシフト機構部を有することが好ましい。
【００１８】
このような表示装置によれば、拡大または縮小され、緻密さを向上させた投写画像を表示領域内において、任意の場所に移動して投写させることができ、合成画像の表現の自由度を向上させることができる。
【００１９】
また、上述した表示装置において、印刷画像は表示領域内に固定され、投写画像の画像内容も固定することでも良い。
【００２０】
また、上述した表示装置において、印刷画像は表示領域内に固定され、投写画像の画像内容は変化することでも良い。
【００２１】
また、上述した表示装置において、印刷画像は移動機構部により移動し、投写画像の画像内容は固定することでも良い。
【００２２】
また、上述した表示装置において、印刷画像は移動機構部により移動し、投写画像は印刷画像の移動に合わせて投写画像の画像内容が変化することでも良い。
【００２３】
また、上述した表示装置において、投写画像を投写するのにプロジェクタを用いることでも良い。
【発明を実施するための最良の形態】
【００２４】
以下、本発明の実施形態を図面に基づいて説明する。
（第１実施形態）
【００２５】
図１は、本発明の第１実施形態に係る表示装置の概略斜視図である。図１を参照して、表示装置１の構成および動作を説明する。
【００２６】
表示装置１は、プリンタ部１０とプロジェクタ部２０と移動機構部３０と保持機構部４０とを有して構成されている。
【００２７】
プリンタ部１０は、表示装置１の図示左端部側に構成されている。プリンタ部１０は、本実施形態ではインクジェットプリンタを用いて、入力する画像情報に従って印刷部としての印刷ヘッド１４１により描画することで印刷画像を形成する。なお、印刷画像を形成する部材は、連続したロール状に形成された表示対象物としての連続ロール紙５０である。この連続ロール紙５０の面上に印刷画像を印刷することになる。
【００２８】
プロジェクタ部２０は、表示装置１の図示下端部側に構成されている。プロジェクタ部２０は、光源ランプ２６１（図２参照）から射出される光束を、画像情報に応じて液晶パネル２６２（図２参照）で変調して光学像を形成し、形成された光学像を、投写部を構成する投写レンズ２６３で投写する。
【００２９】
保持機構部４０は、連続ロール紙５０に対して、所定の表示領域Ａ（図中斜線で示す）を確保して、表示領域Ａ内に印刷画像が印刷された連続ロール紙５０を保持する。本実施形態での表示領域Ａは、略Ａ２サイズで横向きの印刷画像を平面として確保できるように設定されており、その表示領域Ａの平面内に印刷画像が印刷された連続ロール紙５０の部分を保持している。また、保持機構部４０は、連続ロール紙５０を保持する他、移動機構部３０、プリンタ部１０およびプロジェクタ部２０も併せて保持している。
【００３０】
移動機構部３０は、プリンタ部１０の印刷ヘッド１４１の印刷速度に同期させて、印刷される連続ロール紙５０の送り動作を行なっている。その他、移動機構部３０は、プリンタ部１０の印刷動作とは無関係に、連続ロール紙５０を所定の速度で連続して回転させる動作も行なう。
【００３１】
本実施形態の連続ロール紙５０の幅（図示上下方向）は、Ａ２サイズで横向きの印刷画像を印刷しても余白が確保される幅を有している。また、印刷ヘッド１４１もＡ２サイズを横方向に印刷できる仕様となっている。
【００３２】
図１に示すように、連続ロール紙５０は、移動機構部３０を構成するローラ３５Ａ，３５Ｂおよび他のローラ（図示省略）により、テンションを掛けられて、一巡して表示装置１に設置される。連続ロール紙５０は、前述したよう設置され、各ローラ（３５Ａ，３５Ｂなどを含む）を一巡する長さを有して連続したロール状の紙として形成されている。また、移動機構部３０は、後述する移動用モータ３２０および動力伝達機構（図示省略）を有し、連続ロール紙５０を移動（回転）させる。ローラ３５Ａ，３５Ｂは、表示装置１の左右端部側に軸支されて設置されている。そして、移動用モータ３２０が駆動することにより、動力伝達機構が動作し、ローラ３５Ａ，３５Ｂは、本実施形態では各々反時計方向に回転し、連続ロール紙５０は、ローラ３５Ａ，３５Ｂなどに従動して移動（回転）する。
【００３３】
なお、連続ロール紙５０は、左端部側に構成されるプリンタ部１０の右側に設置される印刷ヘッド１４１により、印刷されながら表示領域Ａの平面上を右方向に移動する。そして、Ａ２サイズの横向き印刷画像が表示領域Ａ内に均等に収まる位置に達したところまで移動した後は、保持機構部４０の内部に移動する。
【００３４】
また、プロジェクタ部２０の投写レンズ２６３から投写される投写画像は、上方向に投写される。詳細には、Ａ２サイズの横向き印刷画像が表示領域Ａ内に均等に収まる位置を基準として、そのＡ２サイズの横向き印刷画像に一致するように重ねて投写される。なお、Ａ２サイズの横向き印刷画像が表示領域Ａ内に均等に収まる位置を含めた領域を印刷画像領域Ｂとして以降の説明で適宜使用する。また、Ａ２サイズの横向き印刷画像に一致するように重ねて投写される位置を含めた領域を投写画像領域Ｃとして以降の説明で適宜使用する。本実施形態では、印刷画像領域Ｂと投写画像領域Ｃを一致させている。なお、本実施形態の表示装置１は、後述するズームレンズ２６４を有しており、そのズームレンズ２６４の拡大する最大の大きさは、本実施形態では投写画像領域Ｃと一致する設定としている。
【００３５】
プリンタ部１０でＡ２サイズの横向き印刷画像を印刷ヘッド１４１で印刷する場合、印刷ヘッド１４１の印字速度に同期して、移動機構部３０は、連続ロール紙５０の送り動作を行なう。そして、印刷終了した場合にも、移動機構部３０は、連続ロール紙５０の送り動作を継続して行い、Ａ２サイズの横向き印刷画像が表示領域Ａ内に均等に収まる位置（印刷画像領域Ｂ）に移動させた後、連続ロール紙５０の送り動作を終了する。
【００３６】
プロジェクタ部２０には、リモコン（リモートコントローラ）５（図２参照）の信号を受信するリモコン受信部２１が設置されている。なお、本実施形態では、リモコン５により、表示装置１の動作を指示することができる。
【００３７】
図２は、表示装置の構成を示すブロック図である。図２を参照して、表示装置１の構成および動作を説明する。
【００３８】
表示装置１は、図１でも説明したように、プリンタ部１０とプロジェクタ部２０と移動機構部３０と保持機構部４０とを有して構成されている。
図２に示すように、プロジェクタ部２０は、プロジェクタ制御部２１０と、プロジェクタ画像情報Ｉ／Ｆ（インターフェイス）２２０と、プロジェクタ画像変換／画像処理部２３０と、ズームレンズ駆動部２４０と、レンズシフト駆動部２５０と、投写画像２７０の投写を行なう光学系２６０とを有して構成されている。
【００３９】
なお、光学系２６０は、光束を射出する光源ランプ２６１と、後述する投写用画像情報２００に応じて入射する光束を変調して光学像（投写画像２７０）を形成する光変調素子である透過型の液晶パネル２６２と、形成された投写画像２７０を印刷画像領域Ｂに向けて投写する投写部としての投写レンズ２６３とを有して構成されている。
【００４０】
プロジェクタ画像情報Ｉ／Ｆ２２０は、投写すべき基となる基本画像情報８０を入力する。基本画像情報８０は、本実施形態ではデジタルスチルカメラで撮影した画像を用いている。もちろん基本画像情報８０はこれに限定されるわけではなく、イメージスキャナで取り込んだフィルムや写真を元にした画像情報や、ＣＧ（Computer Graphic）を用いて作成された画像情報であっても良い。
【００４１】
プロジェクタ画像変換／画像処理部２３０は、プロジェクタ画像情報Ｉ／Ｆ２２０から入力された基本画像情報８０を、液晶パネル２６２の特性に合わせて、例えば拡大・縮小、色変換、ガンマ補正、画像補正、色の変調処理、彩度強調、コントラスト強調処理などを行い、投写用画像情報２００を生成する。なお、プロジェクタ画像変換／画像処理部２３０の後段には、液晶パネル駆動部２３１が構成されており、投写用画像情報２００に基づき液晶パネル２６２を駆動する。
【００４２】
また、ズームレンズ駆動部２４０の後段にはズーム用モータ２４１が構成され、また、投写レンズ２６３には、ズームレンズ２６４が構成されている。そして、プロジェクタ制御部２１０の指示に従って、ズームレンズ駆動部２４０がズーム用モータ２４１を駆動することにより、図示しない動力伝達機構を介してズームレンズ２６４を調整する。それにより、投写画像２７０（投写画像領域Ｃ）は、縮小・拡大される。なお、ズームレンズ駆動部２４０、ズーム用モータ２４１、ズームレンズ２６４および動力伝達機構などを有してズーム機構部が構成されている。
【００４３】
なお、本実施形態では、ズーム機構部を動作させて、最大の拡大を行なった場合に、投写画像領域Ｃが印刷画像領域Ｂに略一致する仕様としているため、その範囲内において縮小・拡大を行なう。その縮小・拡大により、投写画像領域Ｃを変化させることができる。
【００４４】
また、レンズシフト駆動部２５０の後段にはシフト用モータ２５１が構成される。そして、プロジェクタ制御部２１０の指示に従って、レンズシフト駆動部２５０がシフト用モータ２５１を駆動することにより、図示しない動力伝達機構を介して投写レンズ２６３をシフトする。それにより、投写画像２７０（投写画像領域Ｃ）は、移動する。なお、本実施形態では、投写画像領域Ｃが印刷画像領域Ｂよりも小さい場合、つまり、ズームレンズ２６４により、投写画像領域Ｃが縮小されている場合にのみシフトする仕様となっている。また、そのシフト量（移動量）は、縮小された投写画像領域Ｃの外形が印刷画像領域Ｂの外形を出ない範囲内としている。なお、レンズシフト駆動部２５０、シフト用モータ２５１および動力伝達機構などを有してシフト機構部が構成されている。
【００４５】
なお、プロジェクタ制御部２１０は、上述したプロジェクタ部２０の動作を制御している。
【００４６】
図２に示すように、プリンタ部１０は、プリンタ制御部１１０と、プリンタ画像情報Ｉ／Ｆ（インターフェイス）１２０と、プリンタ画像変換／画像処理部１３０と、印刷ヘッド駆動部１４０と、印刷画像１７０の印刷を行なう印刷ヘッド１４１とを有して構成されている。
【００４７】
プリンタ画像情報Ｉ／Ｆ１２０は、印刷すべき基となる基本画像情報８０を入力する。プリンタ画像変換／画像処理部１３０は、入力された基本画像情報８０を印刷画像１７０の大きさと基本画像情報８０の画素数および印刷ヘッド１４１の解像度によって決まる画素数に拡大縮小する。そして、プリンタ画像変換／画像処理部１３０は、印刷ヘッド１４１の性能に合わせた拡大・縮小、色変換、ガンマ補正、画像補正、面積階調処理、色の変換処理、彩度強調、コントラスト強調処理などを行い、印刷用画像情報１００を生成する。
【００４８】
印刷ヘッド駆動部１４０は、印刷用画像情報１００に基づき印刷ヘッド１４１を駆動する。印刷ヘッド１４１は、印刷ヘッド駆動部１４０の駆動に従って、表示対象物としての連続ロール紙５０に印刷画像１７０として印刷する。本実施形態では、Ａ２サイズで横向きの大きさの印刷画像１７０を印刷する。
【００４９】
なお、インクジェットプリンタはドットを「打つ／打たない」の二値表示のため、その二値でフルカラー画像を表現するために、ハーフトーンという面積階調処理を行い二値化情報に変換する必要がある。例えばシアン（Ｃ）、マゼンタ（Ｍ）、イエロー（Ｙ）、ブラック（Ｋ）、ライトシアン（Ｌｃ）、ライトマゼンタ（Ｌｍ）の６色インクのインクジェットプリンタでは、一画素当たりＲ、Ｇ、Ｂ各色８ビット＝計２４ビットの基本画像情報８０からＣ、Ｍ、Ｙ、Ｋ、Ｌｃ、Ｌｍ各色１ビット＝計６ビットの情報に変換することになる。つまり二値化と同時にＲＧＢからＣＭＹＫＬｃＬｍへの変換をする必要がある。その場合にインクや紙の特性に合わせて色を調整する必要があり、その特性を反映したＬＵＴ（カラーテーブル）（図示省略）をプリンタ部１０内に保持し色の変換処理も同時に行なう。また、画像情報自体の見栄えを良くするために彩度強調やコントラスト強調処理等を行なう場合もある。
【００５０】
なお、プリンタ制御部１１０は、上述したプリンタ部１０の動作を制御している。また、後述する移動機構部３０の動作の制御も行っている。
【００５１】
移動機構部３０は、プリンタ部１０に構成される移動用モータ駆動部３１０と移動用モータ３２０と、図１で説明したローラ３５Ａ，３５Ｂと、動力伝達機構（図示省略）および他のローラ（図示省略）を有して構成されている。
【００５２】
移動用モータ駆動部３１０は、プリンタ制御部１１０の制御により、印刷ヘッド１４１の印刷速度に同期させて、移動用モータ３２０を駆動し、印刷される連続ロール紙５０の送り動作を行なっている。移動用モータ３２０以降の動作は図１で説明したと同様となる。また、印刷されたＡ２サイズ横向きの印刷画像１７０を、印刷画像領域Ｂに位置させるための駆動も行なっている。また、プリンタ制御部１１０の制御により、移動用モータ駆動部３１０は、プリンタ部１０の印刷動作とは無関係に、連続ロール紙５０を所定の速度で連続して回転させる駆動も行なう。
【００５３】
以上の構成および動作により、表示装置１は、保持機構部４０の表示領域Ａ内に印刷画像１７０の印刷画像領域Ｂが位置し、その印刷画像領域Ｂに投写画像２７０の投写画像領域Ｃを略一致させている。なお、図２では、印刷画像領域Ｂと投写画像領域Ｃをわかり易くするため、ずらした位置として図示している。
【００５４】
また、表示装置１は、リモコン制御部６を有している。リモコン制御部６は、リモコン５からの操作信号を受信し、プロジェクタ制御部２１０およびプリンタ制御部１１０に操作指示の信号を出力する。
【００５５】
図３は、印刷画像と投写画像とその合成画像とのコントラスト比を説明する図である。そして、図３（ａ）は、基本画像情報の全体の領域を印刷および投写した場合の図であり、図３（ｂ）は、基本画像情報の全体の領域を印刷し、基本画像情報の一部の領域のみを複写して投写した場合の図である。図３を参照して、合成画像５００のコントラストの向上（拡張）に関して説明する。なお、本実施形態での合成画像５００とは、印刷画像領域Ｂ（印刷画像１７０）に投写画像領域Ｃ（投写画像２７０）が一致して重なることにより完成する画像をいう。
【００５６】
図３（ａ）に示すように、基本画像情報８０の全体の領域を含む印刷画像１７０（カラー）（図はモノクロームで表示、以下同様）は、プリンタ部１０で印刷したコントラスト比２００：１の画像（図は濃淡の差で表示、以下同様）である。また投写画像２７０（カラー）は、プロジェクタ部２０で投写したコントラスト比１０００：１の画像である。この印刷画像１７０および投写画像２７０が合成されることにより、合成画像５００（カラー）のコントラスト比は、２０００００（２００×１０００）：１となる。このように、印刷画像１７０と投写画像２７０とを重ねることにより非常に高画質で表示することが可能となる。
【００５７】
図３（ｂ）に示すように、印刷画像１７０は、基本画像情報８０の全体の領域を含む画像として構成されている。そして、投写画像２７０は、基本画像情報８０の一部の領域（画像の下部）のみを複写して投写する画像として、また、その残りの領域（画像の上部）を黒表示で投写する画像として構成されている。なお、印刷画像１７０（モノクローム）は、プリンタ部１０で印刷したコントラスト比２００：１の画像である。また、投写画像２７０（下部のみカラー）は、投写画像２７０の下部のみコントラスト比１０００：１の画像である。この印刷画像１７０および投写画像２７０が合成されることにより、合成画像５００（カラー）のコントラスト比は、合成画像５００の一部（下部）のみ２０００００（２００×１０００）：１となる。このように、印刷画像１７０と投写画像２７０とを重ねることにより画像の一部だけを非常に高画質で表示することも可能となる。なお、投写画像２７０の残りの領域（画像の上部）を黒表示で投写する画像として構成したが、これに限らず、他の色表示で投写する画像として構成し、意図する効果を出すようにしても良い。
【００５８】
上述した、第１実施形態によれば以下の効果が得られる。
（１）本実施形態の表示装置１によれば、印刷部としての印刷ヘッド１４１、表示対象物としての連続ロール紙５０、移動機構部３０、保持機構部４０、投写部としての投写レンズ２６３を一体に有している。そして、印刷ヘッド１４１で印刷用画像情報１００に基づいて印刷画像１７０として印刷し、連続ロール紙５０に印刷画像１７０が印刷される。そして、移動機構部３０で連続ロール紙５０を移動し、保持機構部４０で所定の表示領域Ａを確保して表示領域Ａ内に印刷画像１７０が印刷された連続ロール紙５０を保持し、投写レンズ２６３で投写用画像情報２００に基づいた投写画像２７０を投写する。そして、投写レンズ２６３は、表示領域Ａ内に位置する、印刷画像１７０に対して重ねて投写画像２７０を投写する。
このような一体に構成された表示装置１により、ユーザが、印刷画像を別体の印刷部で印刷し、その印刷画像を設置し、設置した印刷画像に対して投写画像の位置合わせを行い投写させることなどは不必要となり、簡便性が向上する。また、表示領域Ａ内に位置している印刷画像１７０に対して重ねて投写画像２７０を投写することにより、合成された画像（合成画像５００）は、印刷画像１７０のコントラスト比と投写画像２７０のコントラスト比との掛け算として計算されるコントラスト比となり、高コントラストな表示を実現できる。従って、簡便性を向上し、高コントラスト表示を実現する表示装置１を提供することができる。
【００５９】
（２）本実施形態の表示装置１によれば、印刷画像１７０は、基本画像情報８０の全体の領域を含む画像として構成し、投写画像２７０は、基本画像情報８０の一部の領域のみを複写して投写する画像として構成しても、印刷画像１７０と投写画像２７０とを重ねることにより画像の一部だけを非常に高画質で表示することも可能となる。
【００６０】
（３）本実施形態の表示装置１を例えば広告用の表示装置１として使用した場合、広告用の表示画像を高コントラストで表示させることができる。また、広告したい商品だけを高コントラストで表示させることもできるため、表示画像のリアリティーや迫力を向上させることが可能となる。
（第２実施形態）
【００６１】
図４は、本発明の第２実施形態に係る表示装置の印刷画像および投写画像を示す図である。そして、図４（ａ）は、連続ロール紙の面全体に印刷画像を印刷した図であり、（ｂ）は、投写画像の図であり、（ｃ）は、（ａ）で示す印刷画像に、（ｂ）で示す投写画像を投写した状態の図である。図４を参照して、本実施形態での表示装置１の動作を説明する。なお、表示装置の構成は第１実施形態の表示装置１と同様である。
【００６２】
図４（ａ）に示すように、表示装置１のプリンタ部１０により、印刷画像１８０（図では風景の画像）が連続ロール紙５０の面全体に連続して印刷されている。また、図４（ｂ）は、図４（ａ）の印刷画像１８０に投写する投写画像２８０（図では風景の画像＋車の画像）である。この図４（ａ）に示す印刷画像１８０の表示装置１における投写画像領域Ｃに、図４（ｂ）で示す投写画像２８０を投写させる。
【００６３】
このとき、印刷画像１８０は、移動機構部３０の移動用モータ３２０により、ローラ３５Ａ，３５Ｂが回転し、それに従動して所定の速度で連続ロール紙５０も回転（移動）することにより、印刷画像１８０も移動している。また、投写画像２８０は、印刷画像１８０の移動速度と同期されており、印刷画像１８０の移動速度に同期して、印刷画像１８０の移動による風景の変化に対して同様に変化する風景の画像を投写画像２８０として投写する。
【００６４】
この動作は、印刷画像１８０の移動速度情報と、移動のスタート基準位置情報とに基づいて、表示装置１のプリンタ制御部１１０およびプロジェクタ制御部２１０の制御により実現している。詳細には、プリンタ制御部１１０による移動用モータ駆動部３１０の制御と、プロジェクタ制御部２１０によるプロジェクタ画像変換／画像処理部２３０の制御により、印刷画像１８０の移動したその時点での投写すべき投写画像２８０を抽出（切り出し）し、順次投写することとにより画像内容を変化させ、実現している。
【００６５】
なお、図４（ｃ）に示す図は、移動する印刷画像１８０と、移動する印刷画像１８０と同期して移動する投写画像２８０とを示し、本実施形態では、投写画像２８０に含まれる「車」の画像は、一定の位置を保ったままの図であり、風景のみが移動する。なお、「車」の画像は、位置を変化させることも可能である。
【００６６】
上述した、第２実施形態によれば以下の効果が得られる。
（１）本実施形態の表示装置１によれば、連続した印刷画像１８０を表示装置１の表示領域Ａ内で移動させることに合わせて、その移動速度情報やスタート基準位置情報などにより、投写画像２８０を同期させて、移動する印刷画像１８０に重ねて投写させることもできるため、高コントラストの動きのある合成画像として表示することができる。それにより、表示装置１の利便性も更に向上する。
（第３実施形態）
【００６７】
図５は、本発明の第３実施形態に係る表示装置の印刷画像および投写画像を示す図である。図５を参照して、本実施形態での表示装置１の動作を説明する。なお、本実施形態の表示装置の構成は第１実施形態での表示装置１と同様である。
【００６８】
図５に示すのは、印刷画像１９０として風景が印刷されており、その印刷画像１９０に、投写画像２９０として、ズームレンズ２６４により、縮小された「木」の画像が投写された合成画像である。なお、本実施形態では、ズームレンズ２６４により、最大に拡大した投写画像２９０（この場合、投写画像領域Ｃと同じ）は、印刷画像領域Ｂに一致する設定となっている。従って、ズームレンズ２６４による投写画像２９０の拡大・縮小は印刷画像領域Ｂの領域内で自由となる。
【００６９】
また、この投写画像２９０は、レンズシフト駆動部２５０の駆動により、縮小された投写画像２９０を、投写画像領域Ｃの領域内でシフト（移動）させることができる。図中矢印で示す方向に投写画像２９０を移動させることができる。なお、投写画像２９０の各辺が、投写画像領域Ｃの相対する各辺に一致した場合、相対する辺方向へのそれ以上の移動は行なわない。
なお、投写画像２９０の縮小・拡大、および、投写画像２９０の移動は、リモコン５の操作により行なうことができる。
【００７０】
上述した、第３実施形態によれば以下の効果が得られる。
（１）本実施形態の表示装置１によれば、印刷画像１９０に、ズームレンズ２６４により縮小した投写画像２９０を投写することができるため、緻密さを向上させた画像（本実施形態では、「木」の画像）を投写させることが可能となる。また、その縮小した投写画像２９０を投写画像領域Ｃ内で移動させることもできるため、投写画像２９０を任意の場所に移動させて投写させることができる。これらにより、表示画像（合成画像）の表現の自由度を向上させることができる。また、表示装置１の利便性も更に向上する。
【００７１】
なお、本発明は、上述した実施形態に限定されず、種々の変更や改良などを加えることが可能である。変形例を以下に述べる。
【００７２】
（変形例１）前記実施形態では、略Ａ２サイズの横向きを平面で確保する表示領域Ａを有する保持機構部４０が構成されている。しかし、これに限らず、任意の表示領域を設定して保持機構部を構成しても良い。また、表示領域Ａは、印刷画像領域Ｂまたは投写画像領域Ｃと略一致していても良い。
【００７３】
（変形例２）前記実施形態では、プリンタ部１０は表示装置１の図示左端部側に構成され、プロジェクタ部２０は表示装置１の図示下端部側に構成されている。しかし、これに限らず、プリンタ部１０およびプロジェクタ部２０は表示装置１の概略４角形の４つの端部側のどこに設置されても良い。
【００７４】
（変形例３）前記実施形態では、印刷画像領域Ｂに投写画像領域Ｃを一致させて重ねて投写しているが、必ずしも一致させて投写させなくても良い。また、印刷画像領域Ｂがない（印刷されていない）場合であっても、表示対象物としての連続ロール紙５０の面上に投写画像を重ねて、投写画像を投写しても良い。
【００７５】
（変形例４）第１実施形態では、Ａ２サイズで横向きの印刷画像１７０を表示領域Ａ内の所定の位置（表示領域Ａ内に均等に収まる位置）を基準の位置として、同サイズの投写画像２７０を重ねている。しかし、これに限らず、印刷画像のサイズや、表示領域Ａ内での基準とする位置や、投写画像の印刷画像に対するサイズや、投写画像の印刷画像に対する位置などは、表示装置１に入力される画像情報のサイズや、印刷ヘッド１４１および液晶パネル２６２の特性などを含めて、適宜設定することが可能である。
【００７６】
（変形例５）第１実施形態では、Ａ２サイズで横向きの印刷画像１７０に、同サイズの投写画像２７０を重ねている。言い換えれば、印刷画像領域Ｂに投写画像領域Ｃを略一致させている。しかし、これに限らず、印刷画像領域Ｂが、投写画像領域Ｃに比べて小さい場合（例えば、印刷画像１７０がＡ４サイズ）などにおいては、投写画像領域Ｃは、表示対象物としての連続ロール紙５０の面上に重ねて投写画像２７０投写させることでも良い。
【００７７】
（変形例６）第１実施形態では、投写用画像情報２００が基本画像情報８０の少なくとも一部を複写する情報である場合を説明したが、印刷用画像情報１００が、基本画像情報８０の少なくとも一部を複写する情報であっても良い。その場合にも、複写した情報による印刷画像の一部において高コントラストな表示を行なうことができる。また、印刷用画像情報１００と投写用画像情報２００が基本画像情報８０の少なくとも一部を変換する情報であっても良く、その変換した情報による印刷画像および投写画像の一部において変換の意図する表示を行なうことができる。
【００７８】
（変形例７）第２実施形態では、印刷画像１８０の移動速度に同期させながら、投写画像２８０も移動させている。しかし、どちらか一方の画像を移動させ、他方の画像を固定することでも良い。
【００７９】
（変形例８）第２実施形態では、連続ロール紙５０の面上に印刷ヘッド１４１によって前もって印刷された印刷画像１８０に対して、その印刷画像１８０の移動速度に同期させながら、投写画像２８０も移動させている。しかし、これに限らず、印刷ヘッド１４１で印刷画像１８０を印刷しながら、その印刷速度に同期させて投写画像２８０を順次投写することでも良い。
【００８０】
（変形例９）第２実施形態では、連続ロール紙５０は図４において、左側から右側に移動しているが、右側から左側に移動しても良い。プリンタ制御部１１０の指示により、移動用モータ駆動部３１０が移動用モータ３２０を逆回転させることにより、ローラ３５Ａ，３５Ｂを逆方向（時計方向）に回転させることにより実現できる。
【００８１】
（変形例１０）第３実施形態では、ズームレンズ２６４により拡大または縮小された投写画像２９０を、投写画像領域Ｃ内において移動させている。しかしこれに限らず、表示領域Ａ内において移動させることでも良い。
【００８２】
（変形例１１）第３実施形態では、印刷画像１９０に「木」が印刷されていない場合を説明したが、印刷画像１９０に「木」を印刷し、印刷された「木」に一致させて、投写画像２９０（「木」の画像）を投写させることでも良い。この場合、プロジェクタ部２０のプロジェクタ画像変換／画像処理部２３０で「木」の画像のみを液晶パネル２６２の全画素内で拡大させる処理を行い、その処理された「木」の画像を、ズーム機構部により、印刷された「木」と一致させるように縮小して投写することにより実現できる。これにより、合成された「木」として、高コントラストな表示を実現できると共に、緻密であり、よりリアリティーや迫力のある表示とすることが可能となる。
【００８３】
（変形例１２）前記実施形態では、印刷画像１７０，１８０，１９０が印刷される表示対象物として連続ロール紙５０を用いている。しかしこれに限らず、巻取り式のロール紙などを用いても良い。巻取り式のロール紙を用いた場合には、例えばローラ３５Ａに巻取り式ロール紙を設置して、巻取り式ロール紙の紙先端をローラ３５Ｂに引掛ける。そして、ローラ３５Ｂが回転することにより、ローラ３５Ａに設置した巻取り式ロール紙を、ローラ３５Ｂに巻き取っていく機構とすることにより、本発明を適用することができる。
【００８４】
（変形例１３）前記実施形態では、投写画像２７０，２８０，２９０を形成する光学系２６０の部材として、光変調素子である透過型の液晶パネル２６２を用いているが、反射型の液晶パネルなど、反射型の光変調素子を用いることも可能である。また、入射した光の射出方向を、画素としてのマイクロミラー毎に制御することにより、光源から射出した光を変調する微小ミラーアレイデバイス等を用いても良い。更には、光学系２６０として、レーザ光源と、レーザ光を走査する走査ミラーを用いて投写画像表示を行っても良い。
【００８５】
（変形例１４）前記実施形態において、図２に示す表示装置１のハードウェア構成は、この例に限定されるわけではなく、印刷用画像情報１００や投写用画像情報２００などを作成するブロック部分（プリンタ画像変換／画像処理部１３０やプロジェクタ画像変換／画像処理部２３０など）は、ＰＣ（パーソナルコンピュータ）を用いて処理しても良い。なお、その他のブロック部分においても、適宜ＰＣを利用して処理しても問題ない。
【００８６】
（変形例１５）前記実施形態における表示装置１は、連続ロール紙５０の外面側の面上に投写画像２７０，２８０，２９０を投写するいわゆるフロントタイプのプロジェクタを用いている。しかし、これに限らず、連続ロール紙５０の裏面側の面上に投写画像を投写するいわゆるリアタイプのプロジェクタを用いても良い。そのためには、ローラ３５Ａ，３５Ｂと連続ロール紙５０とにより囲まれた空間領域から、連続ロール紙５０の裏面側（本実施形態では連続ロール紙５０の内側の面）の面上に投写画像２７０，２８０，２９０を投写することや、連続ロール紙５０の材質を反射タイプから透過タイプの材質に変更することや、投写画像２７０，２８０，２９０の向きの調整（左右反転や上下反転など）を行なうことなどで可能となる。
【００８７】
本発明を実施するための最良の形態を、上記記載で開示しているが、本発明は、これに限定されるものではない。すなわち、本発明は、主に特定の実施形態に関して図示し、かつ、説明しているが、本発明の技術的思想および目的の範囲から逸脱することなく、上述した実施形態に対し、詳細な構成部材や、構成部材の形状・材質・数量などにおいて、当業者が様々な変形（変更ならびに改良）を加えることができるものである。従って、詳細な構成部材や、構成部材の形状・材質・数量などにおいて、当業者が様々な変形を加えることにより実施する場合も本発明に含まれるものである。
【図面の簡単な説明】
【００８８】
【図１】本発明の第１実施形態に係る表示装置の概略斜視図。
【図２】表示装置の構成を示すブロック図。
【図３】印刷画像と投写画像とその合成画像とのコントラスト比を説明する図であり、（ａ）は、基本画像情報の全体の領域を印刷および投写した場合の図、（ｂ）は、基本画像情報の全体の領域を印刷し、基本画像情報の一部の領域のみを複写して投写した場合の図。
【図４】本発明の第２実施形態に係る表示装置の印刷画像および投写画像を示す図であり、（ａ）は、連続ロール紙の面全体に印刷画像を印刷した図、（ｂ）は、投写画像の図、（ｃ）は、（ａ）で示す印刷画像に、（ｂ）で示す投写画像を投写した状態の図。
【図５】本発明の第３実施形態に係る表示装置の印刷画像および投写画像を示す図。
【符号の説明】
【００８９】
１…表示装置、５…リモコン、１０…プリンタ部、２０…プロジェクタ部、３０…移動機構部、４０…保持機構部、５０…連続ロール紙、８０…基本画像情報、１００…印刷用画像情報、１４１…印刷部としての印刷ヘッド、２００…投写用画像情報、１７０，１８０，１９０…印刷画像、２４０…ズームレンズ駆動部、２４１…ズーム用モータ、２５０…レンズシフト駆動部、２５１…シフト用モータ、２６３…投写レンズ、２６４…ズームレンズ、２７０，２８０，２９０…投写画像、Ａ…表示領域、Ｂ…印刷画像領域、Ｃ…投写画像領域。
【図１】
2008122558.tif 000003
【図２】
2008122558.tif 000004
【図３】
2008122558.tif 000005
【図４】
2008122558.tif 000006
【図５】
2008122558.tif 000007